(57)【要約】【課題】放電に寄与しないアドレス電極等の容量負荷の充放電電力を低減することで低消費電力化し、かつ画質の劣化を抑えるマトリックス表示装置を提供すること。【解決手段】データ変換回路３は、フィールド毎の画像データを輝度の重み付けをした複数のサブフィールドデータ４に変換する。フィルタ回路５は、データ変換回路３で変換したサブフィールドデータ４の高周波成分を除去する。輝度判定回路６は、入力画像データから表示する画像の輝度レベルを判定する。ここにフィルタ回路５はローパスフィルタ特性を示すものであって、輝度判定回路６で判定した輝度レベルが大きいときはサブフィールドデータの高域成分の除去量を多くし、輝度レベルが小さいときは高域成分の除去量を少なくする。【選択図】図１
2008257055.tif 000002
【特許請求の範囲】
【請求項１】
入力する画像データに基づきマトリックス状に配列した画素の発光を制御して画像を表示するマトリックス表示装置において、
フィールド毎の画像データを輝度の重み付けをした複数のサブフィールドデータに変換するデータ変換回路と、
上記データ変換回路で変換したサブフィールドデータの高周波成分を除去するフィルタ回路と、
入力画像データから表示する画像の輝度レベルを判定する輝度判定回路と、
上記フィルタ回路から出力されるサブフィールドデータに基づき、各画素に対応するアドレス電極を駆動して画像を表示するマトリックス表示部とを備え、
上記フィルタ回路は、上記輝度判定回路からの輝度レベル判定信号に応じて上記サブフィールドデータに対するフィルタ特性を変化させることを特徴とするマトリックス表示装置。
【請求項２】
請求項１に記載のマトリックス表示装置において、
前記フィルタ回路はローパスフィルタ特性を示すものであって、前記輝度判定回路で判定した輝度レベルが大きいときは前記サブフィールドデータの高域成分の除去量を多くし、前記輝度判定回路で判定した輝度レベルが小さいときは前記サブフィールドデータの高域成分の除去量を少なくすることを特徴とするマトリックス表示装置。
【請求項３】
請求項２に記載のマトリックス表示装置において、
前記フィルタ回路は、前記輝度判定回路で判定した輝度レベルの値に応じて、ローパスフィルタ特性のカットオフ周波数を変化させることを特徴とするマトリックス表示装置。
【請求項４】
請求項１に記載のマトリックス表示装置において、
前記フィルタ回路は、前記アドレス電極のライン方向に並ぶサブフィールドデータに対して一次元方向のフィルタ処理を行うことを特徴とするマトリックス表示装置。
【請求項５】
請求項４に記載のマトリックス表示装置において、
前記フィルタ制御回路は、さらに、前記アドレス電極のライン方向に直交する方向に並ぶサブフィールドデータを含めて、二次元方向のフィルタ制御を行うことを特徴とするマトリックス表示装置。
【請求項６】
請求項１に記載のマトリックス表示装置において、
前記輝度判定回路は、入力画像データから各輝度レベルの画素数を検出してヒストグラムを作成し、該ヒストグラムを基準値と比較して輝度レベル判定信号を出力することを特徴とするマトリックス表示装置。
【請求項７】
請求項１に記載のマトリックス表示装置において、
前記輝度判定回路は、表示画面を複数の領域に分割して各分割領域毎に輝度レベルを判定し、
前記フィルタ回路は、各分割領域毎の輝度レベルに応じてフィルタ特性を変化させることを特徴とするマトリックス表示装置。
【請求項８】
請求項１に記載のマトリックス表示装置において、
前記輝度判定回路は、輝度レベルを判定する表示画面内の範囲を、前記フィルタ回路でフィルタ処理を行う対象画素の周辺領域に限定して輝度レベルを判定することを特徴とするマトリックス表示装置。
【請求項９】
テレビ放送を受信してマトリックス表示装置にて画像を表示するテレビジョン装置において、
受信したテレビ放送信号から映像信号を生成し、映像信号に対して画像処理を行い画像データを出力するテレビ受信回路と、
フィールド毎の画像データを輝度の重み付けをした複数のサブフィールドデータに変換するデータ変換回路と、
上記データ変換回路で変換したサブフィールドデータの高周波成分を除去するフィルタ回路と、
上記フィルタ回路から出力されるサブフィールドデータに基づき、マトリックス状に配列した画素の発光を制御して画像を表示するマトリックス表示部とを備え、
上記テレビ受信回路は表示する画像の輝度レベルを判定し、上記フィルタ回路は、上記テレビ受信回路からの輝度レベル判定信号に応じて上記サブフィールドデータに対するフィルタ特性を変化させることを特徴とするテレビジョン装置。
【発明の詳細な説明】
【技術分野】
【０００１】
本発明は、プラズマディスプレイ装置等のマトリックス表示装置に係り、特に、その消費電力を低減する駆動技術に関するものである。
【背景技術】
【０００２】
プラズマディスプレイ装置等のマトリックス表示装置は、マトリックス状に配置された複数の放電セルを有し、それぞれの放電、非放電を制御することで、表示装置としての所望の画像を得ることができる。そして、複数の放電セルを制御するため、アドレス電極、走査電極、放電維持電極がマトリックス状に配置されており、各電極は互いに隣接または対向する部分で容量を形成し、それが各電極に印加電圧を与え駆動する際の容量負荷となる。
【０００３】
一方、プラズマディスプレイ装置に対しては、高輝度化、低電力化、高精細化が要求されており、消費電力と発光輝度の関係である発光効率を向上させることで、これらの要求に対応している。まず、高輝度化、低電力化のために、放電画素自体の発光効率を向上させるセル構造と材料の開発が行われている。また、高精細化のため駆動周波数を高速化しているが、それに伴い、放電に寄与しないアドレス電極等の容量負荷の充放電電力が増大する。従って、これらの放電に寄与しないアドレス電極等の容量負荷の充放電電力を低減することは、プラズマディスプレイ全体の発光効率を向上させるために重要である。
【０００４】
プラズマディスプレイ装置の消費電力を低減する方法として、次のような提案がなされている。特許文献１には、マトリックス表示装置でのドライバにおける消費電力を低減するために、入力画像データからその画像空間周波数の高域成分を選択的に除去し、除去して得られたデータを表示画像データとして表示させることが記載されている。また、消費電力が大きくなるにつれ、サブフィールドの内、表示階調ビット数の低ビット側のサブフィールドから優先的にその表示を省略することが記載されている。
【０００５】
また特許文献２には、隣接したデータ電極間の静電容量の充放電に費やす電力を低減するため、サブフィールドデータに対してモルフォロジー演算を適用した空間フィルタにより、特定の画像パターン部分を選択的に平滑化することが記載されている。
【０００６】
【特許文献１】特開平１０−１８７０９３号公報
【特許文献２】特開２０００−３４７６２０号公報
【発明の開示】
【発明が解決しようとする課題】
【０００７】
特許文献１によれば、入力画像データに対してフィルタ処理を行うことで画像空間周波数の高域成分が低減されるが、これは階調成分を持った画像空間の高周波成分に対する効果である。しかしながら、実際にアドレス電極を駆動するのはサブフィールドに分解したサブフィールドデータであり、その高周波成分に対する低減効果は必ずしも期待できない。また、低階調（低ビット側）サブフィールドを停止することは、階調表示の劣化、特に低階調表示部の劣化をもたらす場合がある。なぜなら、低階調表示では階調の滑らかさが人の目に敏感であり、より多くの階調表現を実現するために、サブフィールドによる階調表示に付加して誤差拡散法、ディザ法などの空間階調表示を行っており、低階調サブフィールドを停止することはその機能を停止させるからである。
【０００８】
また特許文献２では、サブフィールドデータに対して空間フィルタ処理を施すものであるが、その制御は、セルに電力を供給する駆動回路（アドレスドライバ回路）における電力消費に係わる物理量を検出し、その検出量が閾値を越える状態のときのみにフィルタ処理を行うようにしている。その際、アドレスドライバ回路の消費電力の大きさは表示画面の階調レベルとは直接関係がなく、よって、低階調表示においてもフィルタ処理を実行する場合が発生する。その結果、特許文献１の場合と同様に、階調表示の劣化、特に低階調表示部の劣化をもたらすことになる。
【０００９】
本発明の目的は、放電に寄与しないアドレス電極等の容量負荷の充放電電力を低減することで低消費電力化し、かつ画質の劣化を抑えるマトリックス表示装置を提供することにある。
【課題を解決するための手段】
【００１０】
本発明は、入力する画像データに基づきマトリックス状に配列した画素の発光を制御して画像を表示するマトリックス表示装置であって、フィールド毎の画像データを輝度の重み付けをした複数のサブフィールドデータに変換するデータ変換回路と、データ変換回路で変換したサブフィールドデータの高周波成分を除去するフィルタ回路と、入力画像データから表示する画像の輝度レベルを判定する輝度判定回路と、フィルタ回路から出力されるサブフィールドデータに基づき、各画素に対応するアドレス電極を駆動して画像を表示するマトリックス表示部とを備える。ここにフィルタ回路は、輝度判定回路からの輝度レベル判定信号に応じてサブフィールドデータに対するフィルタ特性を変化させる。
【００１１】
好ましくは、フィルタ回路はローパスフィルタ特性を示すものであって、輝度判定回路で判定した輝度レベルが大きいときはサブフィールドデータの高域成分の除去量を多くし、輝度判定回路で判定した輝度レベルが小さいときはサブフィールドデータの高域成分の除去量を少なくする。
【発明の効果】
【００１２】
本発明によれば、マトリックス表示装置において画質の劣化を抑えながら低消費電力化を図ることができる。
【発明を実施するための最良の形態】
【００１３】
以下、図面を用いて本発明の実施例を説明する。
【実施例１】
【００１４】
図１は、本発明の第１の実施例に係るプラズマディスプレイ装置の構成を示す図である。
図１において、データ処理回路１０は、外部から供給される入力画像データ１と入力同期信号２により、プラズマディスプレイ表示部２０の表示に適した順番に画像データを並べ換え、アドレス駆動回路２１、走査・維持駆動回路２２、維持駆動回路２３に供給するデータ及び制御信号を生成する。データ変換回路３は、入力画像データ１をサブフィールド駆動するためのサブフィールドデータ４に変換する。フィルタ回路５は、サブフィールドデータ４に対して高周波成分を除去するフィルタ処理を行う。輝度判定回路６は、入力画像データ１から表示する画像の輝度レベルを判定し、フィルタ回路５に対して輝度レベル判定信号８を送り、フィルタ処理の制御を行う。また、タイミング制御回路７は、アドレス駆動回路２１、走査・維持駆動回路２２、維持駆動回路２３の制御信号１５，１６，１７を生成する。このようにして、アドレス駆動回路２１にはアドレスデータ１４と制御信号１５が、走査・維持駆動回路２２には制御信号群１６が、維持駆動回路２３には制御信号群１７が供給される。
【００１５】
プラズマディスプレイ表示部（マトリックス表示部）２０は、マトリックス状に配列した画素に駆動電圧を印加して所望の画素を発光させる。アドレス駆動回路２１は、プラズマディスプレイパネル２７のアドレス電極２４に、各画素を放電させるか否かを制御する電圧を印加する。走査・維持駆動回路２２は、走査・維持電極（Ｙ電極）２５を駆動し、アドレス駆動期間では順次画素を選択するためＹ電極２５を順次走査する走査駆動動作を行い、発光期間ではＹ電極２５を同時に駆動し放電動作を維持させる駆動を行う。維持駆動回路２３は、維持電極（Ｘ電極）２６を駆動し、発光期間ではＸ電極２６を同時に駆動し放電動作を維持させる。例えば、解像度１９２０×１０８０のパネルであれば、アドレス電極２４は、１９２０×ＲＧＢ＝５７６０本、Ｘ電極２６、Ｙ電極２５はそれぞれ１０８０本で構成する。
【００１６】
次に、本実施例におけるプラズマディスプレイの表示動作、特にアドレス駆動（サブフィールド駆動）動作について説明する。
図１のデータ変換回路３は、入力画像データ１の階調表現を行うために、サブフィールド駆動に適用するサブフィールドデータ４に変換する。
【００１７】
図２は、プラズマディスプレイのサブフィールド駆動を示す図である。図２に示すように、サブフィールド駆動では、１フィールドを複数のサブフィールドに分割し、各サブフィールドでは、各サブフィールドの期間で重み付けされた発光期間に対応して画素毎に発光／非発光が制御される。図２の場合、８個のサブフィールド期間（ＳＦ１〜ＳＦ８）に分割し、８ビット階調に対応して各サブフィールドの発光期間を１から１２８の重み付けをすることで、２５６階調で画像を表示する。例えば、ある画素を７２階調で表示する場合は、発光重み付け＝８のサブフィールド期間（ＳＦ４）と、発光重み付け＝６４のサブフィールド期間（ＳＦ７）に発光させ、他の期間は非発光とすることで実現する。このように、データ変換回路４は、入力画像データ１をその階調に従って、各サブフィールドの発光期間を示すサブフィールドデータ４に変換する。
【００１８】
次に図１のフィルタ回路５は、サブフィールドデータ４について、その画像空間周波数の高域成分を除去するようにフィルタ処理を施し、アドレスデータ１４としてアドレス駆動回路２１へ供給する。このとき、輝度判定回路６は画像データの輝度レベルを判定し、フィルタ回路５に対して、輝度レベル判定信号８を送ってフィルタ回路５のフィルタ特性を制御する。このフィルタ特性の制御については後述する。
【００１９】
アドレス駆動回路２１は、データ処理回路１０からアドレスデータ１４と制御信号１５を受け取り、アドレス電極２４を駆動する。つまり、発光を行う画素の電極に高レベルのアドレス電圧を印加し、発光を行わない画素の電極に低レベルのアドレス電圧を印加する。アドレス駆動回路２１から１ライン分のアドレス電圧が出力されるタイミングに同期して、走査・維持駆動回路２２では、制御信号１６に基づいて走査・維持電極２５を１ラインづつ順次選択する。１ライン目の画素に対して、アドレス駆動回路２１から１ライン目のサブフィールドデータに対応した１ライン分のアドレス電圧が印加され、走査・維持駆動回路２２が１ライン目の走査・維持電極２５を選択する。次に、２ライン目の画素に対して、アドレス駆動回路２１から２ライン目のサブフィールドデータに対応した１ライン分のアドレス電圧が印加され、走査・維持駆動回路２２が２ライン目の走査・維持電極２５を選択する。この動作を順次行うことで、パネル２７の１画面を走査し、１画面のアドレス駆動を行う。
【００２０】
図３は、アドレス電極２４の容量負荷を示す図である。プラズマディスプレイパネル２７の各電極間には、隣接するアドレス電極２４間の容量Ｃａａ、アドレス電極２４と対向する走査・維持電極２５との容量Ｃａｙ、アドレス電極２４と対向する維持電極２６との容量Ｃａｘが形成される。アドレス電極２４はこれらの容量に対し充放電を行うが、アドレス方向のデータ反転及び走査方向のデータ反転の際に充放電が行われ、これがアドレス電極２４への容量負荷となり電力を消費する。そのときの消費電力は、各サブフィールドデータの反転頻度、すなわち２次元面内でのデータパターンに依存する。そして、このデータ反転の頻度を少なくすること、すなわちサブフィールドデータの空間周波数の高域成分を除去することで消費電力を低減することができる。
【００２１】
図４は、フィルタ回路５のフィルタ特性の一例を示す図である。横軸は画像空間周波数、縦軸はフィルタゲインであり、ここでは高域を除去するローパスフィルタの特性を使用する。画像空間周波数は、入力するサブフィールドデータの最大周波数で規格化している。そして、画像の輝度レベルの値に応じて、フィルタのカットオフ周波数ｆｃを変化させる。輝度レベルが大きい場合は、ｆｃの小さいフィルタ特性、つまりサブフィールドデータの高域成分の除去量を多くし、消費電力の低減効果を大きくする。逆に輝度レベルが小さい場合は、ｆｃの大きいフィルタ特性、つまり高域成分の除去量を少なくし原画像により近い画像とする。図４の例では、輝度レベルを４段階に分け、輝度レベルが高い方から、カットオフ周波数ｆｃ＝０．２、ｆｃ＝０．５、ｆｃ＝０．８、ｆｃ＝全通過（全周波数でゲイン１）に設定している。このように本実施例では、ローパスフィルタの特性を輝度レベルの値に応じてカットオフ周波数ｆｃを変化させることに特徴がある。なお、フィルタ特性の簡単な制御として、フィルタ回路（ｆｃ固定）の動作のオン／オフを切り替えるようにしてもよい。
【００２２】
ここで、画像の輝度が高い場合には、人間の目に輝度差は認識しにくく、逆に輝度が低い場合には、人間の目に輝度差は認識し易くなる性質がある。このため、フィルタ処理を行う場合、画像の輝度レベルが大きい場合に高域成分の除去量が多くなるようにフィルタ処理を行うことで、画像の劣化を認識させずに、アドレス電極の充放電電力を低減することができる。
【００２３】
また、フィルタ処理を行うサブフィールドデータは、サブフィールドの階調の重み付けが小さいデータに限定することで、画像の劣化が認識されにくくなる。例えば、図２に示すサブフィールドデータのうち、重み付け＝１のサブフィールド（ＳＦ１）のデータにフィルタ処理を限定することで、画像の劣化を抑えることができる。
【００２４】
図５は、フィルタ回路５の構成の一例を示す図である。ここでは一次元の空間フィルタの例を示しており、画面水平方向のサブフィールドデータ４が入力する。この入力データＸｉｎに対して、５タップのフィルタ回路構成でローパスフィルタを実現する。入力データＸｉｎ（ｎ）に対して、隣接する左右の４個のデータＸｉｎ（ｎ−２）、Ｘｉｎ（ｎ−１）、Ｘｉｎ（ｎ＋１）、Ｘｉｎ（ｎ＋２）に係数ｋａ、ｋｂを、Ｘｉｎ（ｎ）に係数ｋｃを乗じて、これらを加算することでフィルタ処理信号Ｘｏｕｔを出力する。この際、係数ｋａ、ｋｂ、ｋｃの値を変えることで、カットオフ周波数ｆｃを可変とする。すなわち、輝度判定回路６からの輝度レベル判定信号８に対応して、係数ｋａ、ｋｂ、ｋｃの値を変え、図４に示すようなローパスフィルタ特性を実現する。
【００２５】
また、図５では水平方向の一次元入力データに対応した空間フィルタを示しているが、これに垂直方向の入力データに対するタップを付加することで、二次元入力データに対応する空間フィルタを実現できる。空間フィルタを二次元に拡張することで、垂直方向のサブフィールドデータの高域成分を含めて除去し、消費電力をさらに低減することができる。
【００２６】
次に図６は、輝度判定回路６の内部構成の一例を示す図である。ヒストグラム検出回路４０は、入力画像データ１を順次取り込み、各輝度レベルの画素の度数を検出し、ヒストグラムデータ４１を生成する。輝度レベル判定回路４２は、ヒストグラムデータ４１を判定基準値と比較し、判定結果データ４３を生成する。判定結果保持回路４４は、判定結果データ４３を保持する。タイミング信号回路４５は、タイミング制御回路７からの同期信号１２に基づいて、ヒストグラム検出回路４０、輝度レベル判定回路４２、判定結果保持回路４４にタイミング信号４６，４７，４８を送る。そして、データ変換回路３から出力されるサブフィールドデータ４のタイミングに同期して、判定結果保持回路４４から輝度レベル判定信号８をフィルタ回路５に向けて出力する。
【００２７】
図７は、輝度判定回路６の輝度判定方法の例を示す図である。（ａ）では、取得した輝度ヒストグラムから平均輝度を求め、これを輝度レベルとする場合である。（ｂ）では、輝度レベルの閾値（基準値）を設定し、輝度レベルが閾値以下の画素数を輝度レベルとする場合である。輝度判定回路６は、このようにして求めた輝度レベルを１個又は複数個の基準値と比較判定して輝度レベル判定信号８を生成する。
【００２８】
本実施例では、サブフィールドデータに対するフィルタ処理を画像の輝度レベルに応じて制御するものであるが、その効果を説明する。
【００２９】
図８は、サブフィールド駆動方式における階調データと表示輝度の関係を示す図である。人間が感じる階調レベルの認識は、低輝度領域では小さな輝度差でも認識され易く、逆に高輝度領域では大きな輝度差でも認識されにくい特性を有している。これを補償するため、ディスプレイ装置における階調データと表示輝度の関係は、γ＝１．０のリニアな関係ではなくγ＝２．２に示すような低輝度領域で階調輝度勾配が小さく、高輝度領域で階調輝度勾配が大きくなるような非線型補償特性の関係に設定されている。すなわちプラズマディスプレイでは、低輝度領域の階調をより多階調化し階調表現を滑らかにするよう階調制御を行っており、サブフィーフィールドによる階調制御法に加えて、誤差拡散法、ディザ法等の空間階調制御法を付加している。
【００３０】
本実施例では、画像の輝度レベル対応して、低輝度時にはフィルタ除去量を少なくし、高輝度時にはフィルタ除去量を多くする。このような制御は、上記の非線型補償特性と同様に、輝度レベルに対して人間が感じる階調レベルの認識特性の相違を補償するものである。よって、より滑らかな階調表現を必要とする低輝度領域では階調の劣化を抑え、階調劣化の認識しにくい高輝度領域ではフィルタ処理によるアドレス電力低減を実現することで、画質劣化防止と電力低減を両立させることができる。
【実施例２】
【００３１】
次に本発明の第２の実施例として、輝度判定するための画面の領域を画面全体ではなく一部の領域に限定し、その領域の輝度レベルに基づきフィルタ処理を行う場合を説明する。
図９は、画面を複数の領域に分割して、輝度判定を各分割領域毎に行う場合を示す図である。ここでは一例として表示画面を３×３＝９個の領域に分割し、それぞれの領域について領域輝度レベルＲ１〜Ｒ９を検出している。これを実現するため、図６の輝度判定回路６は、各分割領域毎に輝度レベルのヒストグラムデータ４１を生成し、各領域毎の輝度レベル判定信号８をフィルタ回路５に出力する。フィルタ回路５は、各分割領域のサブフィールドデータ４に対して、輝度レベル判定信号８に応じてカットオフ周波数ｆｃを変化させてフィルタ処理を行う。
【００３２】
このように、画面の各分割領域で、それぞれの領域輝度レベルＲ１〜Ｒ９に対応してフィルタ特性を制御することで、画面内で輝度レベルが一様でない画像であっても、画像劣化を抑え、消費電力を低減することができる。
【００３３】
図１０は、輝度レベルを判定する画面内の範囲を、フィルタ処理を行う対象画素の周辺領域に限定して判定する場合を示す図である。ここでは、処理対象画素がＰ１（ｘ１，ｙ１）のときは、Ｐ１を中央に含む横幅Δｘ、縦幅Δｙの周辺領域を判定範囲とし、その範囲内で領域輝度レベルＲ１（ｘ１，ｙ１）を求める。また処理対象画素がＰ２（ｘ２，ｙ２）のときは、判定範囲をＰ２を中央に含む横幅Δｘ、縦幅Δｙの周辺領域に移動し、その範囲内で領域輝度レベルＲ２（ｘ２，ｙ２）を求める。その際、周辺領域の大きさ（横幅Δｘ、縦幅Δｙ）は、輝度の変化の値（画像データの空間周波数）を考慮して決定するのがよい。輝度判定領域を対象画素の周辺領域に限定することにより、画面内の輝度変化が激しい場合でも、これによく対応したフィルタ制御を行うことができる。
【実施例３】
【００３４】
次に本発明の第３の実施例として、プラズマディスプレイ装置を搭載したテレビジョン装置（プラズマテレビ装置）について説明する。
図１１は、本実施例のプラズマテレビ装置の一構成例を示す図である。テレビ受信回路５０には、アナログチューナ５３、デジタルチューナ５５、デコーダ５７を備え、セレクタ５９はアナログ放送映像信号かデジタル放送映像信号を選択する。ＭＰＵ６１はテレビ受信回路５０を制御する。画像処理回路６３は、テレビ表示を行うための様々な画像処理を行うとともに、表示する画像の輝度を判定する輝度判定回路６ａを内蔵する。
【００３５】
データ処理回路１０ａは、プラズマディスプレイ表示部２０に供給するデータ及び制御信号を生成する。その構成は、第１の実施例（図１）のデータ処理回路１０と同様に、データ変換回路３、フィルタ回路５、タイミング制御回路７を備える。ここでは、図１の輝度判定回路６を除去し、テレビ受信回路５０の画像処理回路６３内に輝度判定回路６ａとして内蔵させた点が異なる。その他の構成は同様であり、説明を省略する。
【００３６】
次に、テレビ受信回路５０の動作について説明する。アナログ放送のアンテナ入力信号５１は、アナログチューナ５３で同期再生されアナログ放送映像信号５４となる。また、デジタル放送のアンテナ入力信号５２は、デジタルチューナ５５でトランスポートストリーム信号５６に変換され、デコーダ５７で同期再生され、デジタル放送映像信号５８となる。図示しないリモコン等からの入力切替信号を受けると、ＭＰＵ６１はセレクタ５９にＭＰＵ制御信号６２を送る。セレクタ５９は、アナログ放送又はデジタル放送を選択し、表示映像信号６０を出力する。
【００３７】
画像処理回路６３は、表示映像信号６０に対し、プラズマディスプレイパネル２７の解像度に対応させる解像度変換処理、高画質化のための階調特性制御、エンハンス処理制御等を行う。そしてデータ処理回路１０ａに、入力画像データ１、入力同期信号２を出力する。
【００３８】
さらに画像処理回路６３内の輝度判定回路６ａは、図７の輝度判定方法に従い表示する画像の輝度レベルを判定する。そして、輝度レベル判定信号８ａをデータ処理回路１０ａのフィルタ回路５に出力する。その際、第２の実施例（図９、図１０）のように画面領域毎に輝度レベルを判定し、領域輝度レベル判定信号とするのが好ましい。
【００３９】
データ処理回路１０ａのフィルタ回路５では、輝度レベル判定信号（又は各領域の領域輝度レベル判定信号）８ａに応じて、図４に示したようにカットオフ周波数を変えてフィルタ処理を行う。
【００４０】
本実施例のプラズマテレビ装置によれば、映像の輝度レベルによらず画像劣化が認識されず、かつ消費電力を低減することができる。また、輝度判定回路６ａをテレビ受信回路５０の画像処理回路６３内に内蔵させているので、画像処理回路６３の行う様々な画像処理の１つとして輝度判定を行うことができ、回路構成の簡略化が可能となる。
【００４１】
上記実施例では、プラズマディスプレイ装置を例に説明したが、本発明は、容量性の負荷を有するアドレス電極を駆動して画像表示を行うマトリックス表示装置に同様に適用できることは言うまでもない。
【図面の簡単な説明】
【００４２】
【図１】本発明の第１の実施例に係るプラズマディスプレイ装置の構成を示す図。
【図２】プラズマディスプレイのサブフィールド駆動を示す図。
【図３】アドレス電極の容量負荷を示す図。
【図４】フィルタ回路５のフィルタ特性の一例を示す図。
【図５】フィルタ回路５の構成の一例を示す図。
【図６】輝度判定回路６の内部構成の一例を示す図。
【図７】輝度判定回路６の輝度判定方法の例を示す図。
【図８】サブフィールド駆動方式における階調データと表示輝度の関係を示す図。
【図９】本発明の第２の実施例として画面を複数の領域に分割して輝度判定を行う場合を示す図。
【図１０】輝度レベルを判定する範囲を対象画素の周辺領域に限定する場合を示す図。
【図１１】本発明の第３の実施例としてプラズマテレビ装置の一構成例を示す図。
【符号の説明】
【００４３】
３…データ変換回路、５…フィルタ回路、６，６ａ…輝度判定回路、７…タイミング制御回路、１０…データ処理回路、２０…プラズマディスプレイ表示部、２１…アドレス駆動回路、２２…走査・維持駆動回路、２３…維持駆動回路、２４…アドレス電極、２７…プラズマディスプレイパネル、５０…テレビ受信回路。
【図１】
2008257055.tif 000003
【図２】
2008257055.tif 000004
【図３】
2008257055.tif 000005
【図４】
2008257055.tif 000006
【図５】
2008257055.tif 000007
【図６】
2008257055.tif 000008
【図７】
2008257055.tif 000009
【図８】
2008257055.tif 000010
【図９】
2008257055.tif 000011
【図１０】
2008257055.tif 000012
【図１１】
2008257055.tif 000013